(57)【要約】【課題】コストアップを抑え、耐荷重や作業性の低下を防止し、絶縁シートの全面が耐電圧性能を有し、人体に悪影響を与える虞がない方法で絶縁シートをパネル本体に装着可能なフロアパネルを提供する。【解決手段】床面の上方に支柱により一定の床下空間を確保する高さに支持されるとともに、連続して多数連結することによってフリーアクセスフロアを形成するフロアパネル１であり、このフロアパネル１は、天板部１１及びこの外周から下方へ延びる側壁部１２を有してなる金属材料製のパネル本体１０と、この天板部１１の上面を覆う上面部２１及びこの端部からパネル本体１０の側壁部１２の外側に沿って下方へ延びて側壁部１２の下端に掛止される掛止部２２を有してなる絶縁ゴム製の絶縁シート２０とを有して一体的に形成される。【選択図】図１
2009197395.tif 000002
【特許請求の範囲】
【請求項１】
床面の上方に支柱により一定の床下空間を確保する高さに支持されるとともに、連続して多数連結することによってフリーアクセスフロアを形成する絶縁タイプのフロアパネルであって、
天板部及び該天板部の外周から下方へ延びる側壁部を有してなる金属材料製のパネル本体と、
該パネル本体の前記天板部の上面を覆う上面部及び該上面部の端部から前記パネル本体の前記側壁部の外側に沿って下方へ延びて該側壁部の下端に掛止される掛止部を有してなる絶縁ゴム製の絶縁シートと
を有して一体的に形成されることを特徴とするフロアパネル。
【請求項２】
前記絶縁シートの前記掛止部は、その下端部の長さ方向の少なくとも一部に前記パネル本体の前記側壁部の下端部を挿入可能な掛止溝を有することを特徴とする請求項１に記載のフロアパネル。
【請求項３】
前記絶縁シートの前記掛止部は、その下端部の長さ方向の少なくとも一部に絶縁シート内側方向に突出して前記パネル本体の前記側壁部の下端に掛止可能な掛止突起部を有することを特徴とする請求項１又は２に記載のフロアパネル。
【請求項４】
前記絶縁シートの前記掛止部は、前記パネル本体の側壁部のうち対向配置された側壁部の各下端に掛止された前記掛止突起部の各先端部にフック掛けを有し、これらのフック掛け間にベルト部材を掛け渡して設けることを特徴とする請求項３に記載のフロアパネル。
【請求項５】
前記絶縁シートの前記掛止部は、前記パネル本体の隅部の互いに交差する方向に延びる一対の側壁部の各外側に沿って下方に延びる前記掛止部の各下端部に可倒可能なフック掛けを有し、これらのフック掛け間にベルト部材を掛け渡して設けることを特徴とする請求項１又は３に記載のフロアパネル。
【発明の詳細な説明】
【技術分野】
【０００１】
本発明は、電気機器等が設置される部屋において、必要な配線類の引き回し空間を形成するためのフリーアクセスフロアに用いられる絶縁タイプのフロアパネルに関する。
【背景技術】
【０００２】
近年、オフィスビル等の部屋では、レイアウトの変更や机の移動等が頻繁に行われるので、配線の引き回しが容易なフリーアクセスフロアが広く普及している。一方、電源装置やトランス等の強電装置を設置する部屋では、強電装置を頻繁に移動することはないが、フリーアクセスフロアを採用して配線の引き回しを容易にしたいという要望がある。そして、この強電装置を設置する部屋では、漏電や電気設備事故が起きると装置や保守を行う人が被害にあう虞があるため、絶縁耐力の高いフロアパネルが使用されている。
【０００３】
このような絶縁耐力の高いフロアパネルは、特許文献１に記載されており、金属材料製のパネル本体と、パネル本体の上面に貼付された絶縁シートとを有して構成されている。パネル本体は、正方形板状の天板部の外周四辺に下方へ延びる側壁を設けて下側を開口させた四角型箱状に形成されている。絶縁シートは、絶縁性が高いゴム系樹脂材料で形成され、パネル本体の上面を形成する天板部と同じ大きさの正方形状に形成されている。
【０００４】
【特許文献１】実用新案登録第３１２３５１８号公報
【発明の開示】
【発明が解決しようとする課題】
【０００５】
このような従来のフロアパネル５０は、図８（ａ）（平面図）及び図８（ｂ）（VIII−VIII矢視断面図）に示すように、絶縁シート５１がパネル本体５３の上面にのみ敷設されているので、フロアパネル５０の沿面距離の始端はフロアパネル５０の幅方向端部から生じ、フロアパネル５０の沿面距離の終端はフロアパネル５０の幅方向内側の位置になる。このため、従来のフロアパネル５０は、絶縁シート５１の端部から内側に沿面距離を有した範囲が充電部５４となり、絶縁シート５１の全面が耐電圧性能を有するのではない。従って、機材や人が絶縁シート５１の充電部５４上に載ると、機材や人が漏電等に伴う被害にあう虞が有る。
【０００６】
そこで、沿面距離の範囲を無くして絶縁シートの全面が耐電圧性能を有するようにするために絶縁シートの厚さを厚くすると、部屋の床全面を覆うようにして用いられる絶縁シートの体積が著しく増大してフロアパネルのコストアップを招き、また重量が増大してフロアパネルの耐荷重が低下するとともに作業性が悪くなり、さらに絶縁シート５１はゴム系材料で形成されて弾性を有しているので、絶縁シート５１上を人が歩行する際に違和感を感じる等の問題が生じる。このため、絶縁シート５１の厚さを厚くするには限界がある。
【０００７】
また、従来のフロアパネル５０の絶縁シート５１は、接着剤によってパネル本体５３の上面に接着されているが、接着剤に含まれるホルムアルデヒド等の有害物質が揮発すると、人体に悪影響を与える虞がある。
【０００８】
本発明は、このような問題に鑑みてなされたものであり、コストアップを抑え、耐荷重や作業性の低下を防止し、絶縁シートの全面が耐電圧性能を有し、人体に悪影響を与える虞がない方法で絶縁シートをパネル本体に装着可能なフロアパネルを提供することを目的とする。
【課題を解決するための手段】
【０００９】
前述した課題を解決するため、本発明は以下の特徴を有する。特徴の一つは、床面の上方に支柱により一定の床下空間を確保する高さに支持されるとともに、連続して多数連結することによってフリーアクセスフロアを形成する絶縁タイプのフロアパネルであって、天板部及び該天板部の外周から下方へ延びる側壁部を有してなる金属材料製のパネル本体と、パネル本体の天板部の上面を覆う上面部及び該上面部の端部からパネル本体の側壁部の外側に沿って下方へ延びて該側壁部の下端に掛止される掛止部を有してなる絶縁ゴム製の絶縁シートとを有して一体的に形成されることを特徴とする。
【００１０】
この特徴によれば、フロアパネルは、天板部及び該天板部の外周から下方へ延びる側壁部を有してなる金属材料製のパネル本体と、パネル本体の天板部の上面を覆う上面部及び上面部の端部からパネル本体の側壁部の外側に沿って下方へ延びて側壁部の下端に掛止される掛止部を有してなる絶縁ゴム製の絶縁シートとを有することで、フロアパネルの沿面距離の始端はフロアパネルの幅方向端部の下端となり、フロアパネルの沿面距離の終端はフロアパネルの幅方向端部の絶縁シートの上面部よりも下方位置とすることができ、その結果、絶縁シートの上面部の全面が耐電圧性能を有したものにすることができる。このことは、面積の広いパネル本体の天板部を覆う絶縁シートの上面部の厚さを厚くして耐電圧性能を高める場合と比較して、絶縁シートの上面部の厚さをそのままにすることができるので、絶縁シートの体積の増大を抑制してフロアパネルのコストアップを抑えることができ、また絶縁シートの重量の増大を抑制してフロアパネルの耐荷重や作業性の低下を抑えることができ、さらに絶縁シート上を人が歩行する際に違和感を感じさせることもない。また絶縁シートをパネル本体に装着するには、パネル本体の天板部上に絶縁シートの上面部を載せ、掛止部を側壁部に沿って延ばして側壁部に掛止すればよい。このため、接着剤を用いることなく、絶縁シートをパネル本体に装着することができ、接着剤から揮発する有害物質を人が吸い込んで人体に悪影響を与える虞を無くすことができる。
【００１１】
また特徴の一つは、絶縁シートの掛止部は、その下端部の長さ方向の少なくとも一部にパネル本体の側壁部の下端部を挿入可能な掛止溝を有することを特徴とする。
【００１２】
この特徴によれば、掛止部の下端部の長さ方向の少なくとも一部に掛止溝を設けることにより、パネル本体の天板部上に絶縁シートの上面部を載せ、側壁部の下端部を掛止溝に挿入すると、掛止部を側壁部に固定状態にすることができる。その結果、絶縁シートの上面部上に人等が移動して上面部が横方向にずれても掛止部の下端部が掛止溝から外れる虞はなく、パネル本体に絶縁シートが装着された状態を常に維持することができる。
【００１３】
また特徴の一つは、絶縁シートの掛止部は、その下端部の長さ方向の少なくとも一部に絶縁シート内側方向に突出してパネル本体の側壁部の下端に掛止可能な掛止突起部を有することを特徴とする。
【００１４】
この特徴によれば、掛止部は、その下端部の長さ方向の少なくとも一部にパネル本体の側壁部の下端に掛止可能な掛止突起部を有することにより、掛止部の下端部に掛止溝を設ける場合と比較して絶縁シートの構造を簡素化することができ、絶縁シートを一体成型する際の製造コストの増大を抑制することができる。
【００１５】
また特徴の一つは、絶縁シートの掛止部は、パネル本体の側壁部のうち対向配置された側壁部の各下端に掛止された掛止突起部の各先端部にフック掛けを有し、これらのフック掛け間にベルト部材を掛け渡して設けることを特徴とする。
【００１６】
この特徴によれば、掛止突起部の先端部にフック掛けを設け、対向するフック掛け間にベルト部材を掛け渡すことにより、対向するフック掛けはベルト部材によって互いに離反する方向への移動が規制される。このため、掛止突起部が側壁部の下端から外れる虞を無くすことができ、パネル本体に絶縁シートが装着された状態を常に維持することができる。また、掛止突起部の先端部にフック掛けを設けるだけであるので、絶縁シートを一体成型する際の製造コストの増大を抑制することができる。
【００１７】
また特徴の一つは、絶縁シートの掛止部は、パネル本体の隅部の互いに交差する方向に延びる一対の側壁部の各外側に沿って下方に延びる掛止部の各下端部に可倒可能なフック掛けを有し、これらのフック掛け間にベルト部材を掛け渡して設けることを特徴とする。
【００１８】
この特徴によれば、パネル本体の隅部の互いに交差する方向に延びる一対の側壁部の各外側に沿って下方に延びる掛止部の各下端部に可倒可能なフック掛けを設けることで、フック掛けを掛止部とともに一体成型することができる。また隅部に設けられた一対のフック掛け間の距離は短いので、これらに掛け渡されるベルト部材の長さも短くすることができる。従って、絶縁シートのコストアップをより抑えることができる。
【発明の効果】
【００１９】
本発明によれば、上記特徴を有することにより、コストアップを抑え、耐荷重や作業性の低下を防止し、絶縁シートの全面が耐電圧性能を有し、人体に悪影響を与える虞がない方法で絶縁シートをパネル本体に装着可能なフロアパネルを提供することができる。
【発明を実施するための最良の形態】
【００２０】
以下、本発明に係わるフロアパネルの好ましい実施の形態を図１から図７に基づいて説明する。本実施形態のフロアパネルは、床面の上方に支柱により一定の床下空間を確保する高さに支持されるとともに、連続して多数連結することによってフリーアクセスフロアを形成する絶縁タイプのフロアパネルである。
【００２１】
フロアパネル１は、図１（ａ）（側面図）及び図１（ｂ）（底面図）に示すように、パネル本体１０と、パネル本体１０の上側に装着された絶縁シート２０とを有して構成されている。
【００２２】
パネル本体１０は、例えばアルミニウムやアルミニウム合金等の金属材料で形成され、平面視において正方形板状の天板部１１と天板部１１の外周四辺から下方へ延びる側面視において長方形状の側壁部１２とを有して下側が開口した四角型箱状に形成されている。パネル本体１０の内側には、側壁部１２と並行して縦方向及び横方向に延びる複数の補強リブ１３が形成されてパネル本体１０の強度を強化するとともに、パネル本体１０を軽量化している。
【００２３】
絶縁シート２０は、例えば、耐電圧性能の高いクロロプレンゴム等の絶縁ゴム材料で形成され、平面視においてパネル本体１０の天板部１１と略同じ大きさを有して正方形状をなしてパネル本体１０の天板部１１の上面を覆う上面部２１と、上面部２１の外周四辺からパネル本体１０の側壁部１２の外側に沿って下方へ延びて側壁部１２の下端に掛止される掛止部２２とを有して構成されている。
【００２４】
掛止部２２は、側面視においてパネル本体１０の側壁部１２と略同じ大きさを有した長方形状の腕部２２ａと、腕部２２ａの下端部にパネル本体１０の側壁部１２の下端部を挿入可能な掛止溝２２ｃを有した掛止先端部２２ｂとを有してなる。掛止先端部２２ｂは、図１（ｃ）（I−I矢視断面図）を更に追加して説明すると、絶縁シート２０の内側方向へ突出する突起部２２ｂ1と突起部２２ｂ1の先端部から下方へ延びる係止部２２ｂ2とを有して鉤状に形成されて、腕部２２ａ、突起部２２ｂ1及び係止部２２ｂ2によって側壁部１２の下端部を挿入可能な掛止溝２２ｃを形成している。掛止溝２２ｃは腕部２２ａの下端部の長さ方向に沿って延び、掛止溝２２ｃの両端部は腕部２２ａの下端部の両側端部近傍まで延びている。なお、掛止溝２２ｃを形成する掛止先端部２２ｂは、腕部２２ａの下端部に沿って連続的に延びる他に、所定間隔を有して設けられてもよい。
【００２５】
掛止溝２２ｃは、これに挿入される側壁部１２の断面形状と相似形をなす矩形状に形成され、側壁部１２の下端部を挿入し易くするために、掛止溝２２ｃの幅Ｂは側壁部１２の厚さより僅かに大きく形成されている。また絶縁シート２０の上面部２１がパネル本体１０の天板部１１上に載置されたときに上面部２１が天板部１１から離れにくくするために、掛止溝２２ｃの底部と上面部２１の裏面との距離Ｌは、パネル本体１０の側壁部１２の長さと略同じ又は僅かに短くなるような大きさを有している。
【００２６】
このように構成されたパネル本体１０に絶縁シート２０を装着するには、先ず、パネル本体１０の天板部１１上に絶縁シート２０の上面部２１の裏側が接触するようにして絶縁シート２０を載せる。そして、絶縁シート２０の上面部２１の外周四辺から延びる掛止部２２の腕部２２ａを側壁部１２の外側に沿って下方へ延ばし、腕部２２ａの先端側を把持した状態で外側に変形させながら下方へ引っ張って掛止溝２２ｃの開口部分を側壁部１２の下端部の近傍位置に移動させる。そして、腕部２２ａの先端側を内側に戻しながら下方への引っ張りを解除して掛止溝２２ｃ内に側壁部１２の下端部を挿入する。また、他の掛止部２２の掛止溝２２ｃ内に他の側壁部１２の下端部を挿入する。その結果、絶縁シート２０の上面部２１はパネル本体１０の天板部１１に載置された状態で、絶縁シート２０の掛止部２２が側壁部１２の下端部に固定され、絶縁シート２０はパネル本体１０に一体的に装着されて、フロアパネル１が形成される。
【００２７】
ここで、パネル本体１０に絶縁シート２０を装着したフロアパネル１の沿面距離の始端は、図２（ｂ）（II−II断面図）に示すように、フロアパネル１の幅方向端部の下端から生じ、即ちパネル本体１０の側壁部１２の下端から生じ、フロアパネル１の沿面距離の終端は絶縁シート２０の掛止部２２の腕部２２ａの上部位置、即ち、絶縁シート２０の上面部２１よりも下方位置にすることができる。なお、沿面距離は印加される電圧によって変わるが、電圧によって、上面部２１の厚さ・腕部２２ａの長さや厚さを設定することにより、フロアパネル１の沿面距離の終端を腕部２２ａの上部位置（上面部２１よりも下方位置）にすることができる。
【００２８】
このため、図２（ａ）（平面図）に示すように、絶縁シート２０の上面部２１の全面が耐電圧性能を有したものにすることができる。このことは、面積の広いパネル本体１０の天板部１１を覆う絶縁シート２０の上面部２１の厚さを厚くして耐電圧性能を高める場合と比較して、絶縁シート２０の上面部２１の厚さをそのままにすることができるので、絶縁シート２０の体積の増大を抑制してフロアパネル１のコストアップを抑えることができ、また絶縁シート２０の重量の増大を抑制してフロアパネル１の耐荷重や作業性の低下を抑えることができ、さらに、絶縁シート２０上を人が歩行する際に違和感を感じさせることもない。また絶縁シート２０をパネル本体１０に装着するには、前述したようにパネル本体１０の天板部上に絶縁シート２０の上面部２１を載せ、掛止部２２を側壁部１２に沿って延ばして側壁部１２に掛止すればよい。このため、接着剤を用いることなく、絶縁シート２０をパネル本体１０に装着することができ、接着剤から揮発する有害物質を人が吸い込んで人体に悪影響を与える虞を無くすことができる。
【００２９】
なお、図３（ａ）（側面図）、図３（ｂ）（底面図）、図３（ｃ）（IIIａ−IIIａ断面図）、図３（ｄ）（IIIｂ−IIIｂ断面図）に示すように、フロアパネル１の掛止部２２の下端部は、その長さ方向の殆どが絶縁シート内側方向に突出してパネル本体１０の側壁部１２の下端に掛止可能な掛止突起部２５を有した掛止先端部２２ｂ'と、掛止部２２の下端部の長さ方向の一部に前述した掛止溝２２ｃを形成する掛止先端部２２ｂとを有して形成されてもよい。なお、掛止突起部２５の突出長さＬａは、掛止溝２２ｃの幅Ｂより大きくなるように形成されて、掛止突起部２５が側壁部１２の下端から外れるのをし難くしている。このように掛止部２２の下端部に掛止突起部２５を有した掛止先端部２２ｂ'を設けることで、掛止溝２２ｃによって絶縁シート２０をパネル本体１０に固定可能な機能を有したままで、絶縁シート２０の構造を簡素化することができ、絶縁シート２０を一体成型する際の製造コストの増大を抑制することができる。
【００３０】
また、図４（ａ）（側面図）、図４（ｂ）（底面図）、図４（ｃ）（VIａ−VIａ断面図）、図４（ｄ）（VIｂ−VIｂ断面図）に示すように、絶縁シート２０の掛止部２２の下端部は、前述した掛止突起部２５と近似の形状を有した掛止先端部２２ｂ'として形成され、対向配置された掛止先端部２２ｂ'の長手方向中央部にフック掛け２７を設けてもよい。掛止突起部２５の突出長さＬａは、前述した図３（ｄ）に示す掛止突起部２５の突出長さＬａよりも小さく、掛止部２２の下端部が側壁部１２の下端に外れる虞があっても掛止可能にしている。フック掛け２７は、掛止突起部２５の先端部に四角状に延びてループ状に形成され、絶縁シート２０の一部として一体成型される。なお、フック掛け２７はループ状に限るものではなく、後述するベルト部材２９の端部が掛止可能であればフック状であってもよい。そして、図５（ａ）（側面図）、図５（ｂ）（底面図）に示すように、対向するフック掛け２７，２７間にベルト部材２９を掛け渡して設けることで、これらのフック掛け２７，２７が互いに離反する方向への移動が規制されて、掛止突起部２５が側壁部１２の下端から外れる虞を無くしている。また、掛止突起部２５の先端部にループ状のフック掛け２７を設けるだけであるので、絶縁シート２０を一体成型する際の製造コストの増大を抑制することができる。
【００３１】
なお、ベルト部材２９は、例えば、合成繊維等で形成された帯状のベルト２９ａと、ベルト２９ａの両端部に設けられてフック掛け２７に掛止可能なフック２９ｂとを有して構成される。ベルト２９ｂは長さが殆ど変わらないものや伸縮可能なものでもよい。伸縮可能なベルト２９ｂを使用する場合には、対向するフック掛け２７，２７間にベルト部材２９を掛け渡すと常にフック掛け２７が対向する他のフック掛け２７側に引っ張られるように、ベルト２９ａの長さは対向配置されたフック掛け２７，２７間の距離よりも短くする。
【００３２】
また、図６（ａ）（側面図）、図６（ｂ）（底面図）、図６（ｃ）（ＶI−ＶI矢視断面図）に示すように、絶縁シート２０の掛止部２２の下端部は、前述した図４（ｃ）に示した掛止突起部２５を有した掛止先端部２２ｂ'と同様に形成され、パネル本体１０の隅部の互いに直交する方向に延びる一対の側壁部１２の各外側に沿って延びる掛止部２２（腕部２２ａ）の各下端部にはフック掛け３３が設けられている。このフック掛け３３は、絶縁シート２０の一部として絶縁シート２０とともに一体成型され、腕部２２ａの下端部から突出するように延びる突出片３３ａと突出片３３ａの先端部に設けられた矩形状の孔部３３ｂとを有してなる。突出片３３ａは、絶縁シート２０の内側方向に可倒可能であり、内側方向に倒れた状態で孔部３３ｂの一辺が対向する他のフック掛け３３の孔部３３ｂの一辺と略平行になるように傾斜している。
【００３３】
そして、図７（ａ）（側面図）、図７（ｂ）（底面図）に示すように、絶縁シート２０の隅部に設けられた一対のフック掛け３３，３３にベルト部材３５を掛け渡すと、これらのフック掛け３３，３３が内側に倒れた状態でベルト部材３５がこれらのフック掛け３３，３３間に掛け渡されて、互いに直交する方向に延びる腕部２２ａが互いに離反する方向への移動が規制されて、掛止突起部２５が側壁部１２の下端から外れる虞を無くしている。
【００３４】
またフック掛け３３は、掛止部２２の腕部２２ａに沿って延びるように形成されているので、絶縁シート２０を一体成型する際の製造コストの増大を抑制することができる。絶縁シート２０の隅部に設けられた一対のフック掛け３３，３３間の距離は短いので、これらに掛け渡されるベルト部材３５の長さも短くすることができる。従って、絶縁シート２０のコストアップをより抑えることができる。
【００３５】
なお、前述した実施形態では、パネル本体１０を平面視において正方形状とし、これに装着される絶縁シート２０も同様に正方形状としたが、長方形状や多角形状でもよい。
【図面の簡単な説明】
【００３６】
【図１】本発明の一実施の形態に係るフロアパネルを示し、同図（ａ）はフロアパネルの側面図であり、同図（ｂ）はフロアパネルの底面図であり、同図（ｃ）は同図（ｂ）のI−I矢視に相当する絶縁シートの断面図である。
【図２】本発明の一実施の形態に係るフロアパネルの沿面距離を説明するための図であり、同図（ａ）はフロアパネルの平面図であり、同図（ｂ）は同図（ａ）のII−II矢視に相当するフロアパネルの断面図である。
【図３】本発明の一実施の形態に係る他のフロアパネルを示し、同図（ａ）はフロアパネルの側面図であり、同図（ｂ）はフロアパネルの底面図であり、同図（ｃ）は同図（ｂ）のIIIａ−IIIａ矢視に相当する絶縁シートの断面図であり、同図（ｄ）は同図（ｂ）のIIIｂ−IIIｂ矢視に相当する絶縁シートの断面図である。
【図４】本発明の一実施の形態に係る他のフロアパネルを示し、同図（ａ）はフロアパネルの側面図であり、同図（ｂ）はフロアパネルの底面図であり、同図（ｃ）は同図（ｂ）のIVａ−IVａ矢視に相当する絶縁シートの断面図であり、同図（ｄ）は同図（ｂ）のVIｂ−VIｂ矢視に相当する絶縁シートの断面図である。
【図５】図４に示すパネル本体に装着された絶縁シートにベルト部材を掛け渡したフロアパネルを示し、同図（ａ）はフロアパネルの側面図であり、同図（ｂ）はフロアパネルの底面図である。
【図６】本発明の一実施の形態に係る他のフロアパネルを示し、同図（ａ）はフロアパネルの側面図であり、同図（ｂ）はフロアパネルの底面図であり、同図（ｃ）は同図（ｂ）のVI−VI矢視に相当する絶縁シートの断面図である。
【図７】図６に示すパネル本体に装着された絶縁シートにベルト部材を掛け渡したフロアパネルを示し、同図（ａ）はフロアパネルの側面図であり、同図（ｂ）はフロアパネルの底面図である。
【図８】従来のフロアパネルを示し、同図（ａ）はフロアパネルの平面図であり、同図（ｂ）は同図（ａ）のVIII−VIII矢視に相当するフロアパネルの断面図である。
【符号の説明】
【００３７】
１  フロアパネル
１０  パネル本体
１１  天板部
１２  側壁部
２０  絶縁シート
２１  上面部
２２  掛止部
２２ｃ  掛止溝
２５  掛止突起部
２７，３３  フック掛け
２９，３５  ベルト部材
【図１】
2009197395.tif 000003
【図２】
2009197395.tif 000004
【図３】
2009197395.tif 000005
【図４】
2009197395.tif 000006
【図５】
2009197395.tif 000007
【図６】
2009197395.tif 000008
【図７】
2009197395.tif 000009
【図８】
2009197395.tif 000010